(57)【特許請求の範囲】
【請求項１】
前後方向に平行に伸び、左右一方の後端が他方の後端よりも前側に位置した左右側縁部、この左右側縁部の夫々の前端に連続して左右方向に伸びる前縁部、前側に位置した一方の前記左右側縁部の後端に一端が連続し、左右一方の後部を切り欠いた切欠き部の縁部、及び他方の前記左右側縁部の後端に連続して左右方向に伸びて前記切欠き部の縁部の他端に連続する後縁部を有した平板状の底板と、
後端が前側に位置する一方の前記左右側縁部の長さよりも前後方向の長さが長く、前端が前記左右側縁部の前端と面一になるように、前記底板の左右側縁部の夫々に連結されて立ち上がっており、夫々の後端部に取付部が設けられた一対の側板と、
前記底板の前端及び一対の前記側板の前端に当接して連結された前板と、
前記底板の一方の前記左右側縁部に連結された一方の前記側板の前記取付部に取り付けられる被取付部、この被取付部から一方の前記側板に沿って前記底板の一方の後端よりも前方に伸びた延長部、及びこの延長部の前端部に設けられた連結部を有する第１連結具と、
前記底板の他方の前記左右側縁部に連結された他方の前記側板の前記取付部に取り付けられる被取付部、及びこの被取付部に連続して設けられた連結部を有する第２連結具と、
一方の端部が前記第１連結具の前記連結部に連結され、他方の端部が前記第２連結具の前記連結部に連結され、前記底板の後縁部と前記切欠き部の縁部に沿って立ち上がった背板と、
を備えていることを特徴とする引出し。
【請求項２】
一対の前記側板は対向する内側面が下方に向けて内側に傾斜しており、
前記第１連結具の前記延長部は、前記底板に対して立ち上がった側面、前記側面の上端縁と前記側板の上面との間を塞ぐように広がる上面、及び前記側面の前端縁と前記側板の内側面との間を塞ぐように広がる前面を有していることを特徴とする請求項１記載の引出し。
【発明の詳細な説明】
【技術分野】
【０００１】
本発明は引出しに関するものである。
【背景技術】
【０００２】
特許文献１は従来の引出しを開示している。この引出しは、底板、一対の側板、前板、及び背板を備えている。底板は、左右側縁部、前縁部、右側の後部を切り欠いた切欠き部の縁部、及び後縁部を有した平板状である。左右側縁部は前後方向に平行に伸びている。右側縁部の後端は左側縁部の後端よりも前側に位置している。前縁部は左右側縁部の夫々の前端に連続して左右方向に一直線上に伸びている。切欠き部は底板の右側の後部を四角形状に切り欠いている。切欠き部の縁部の右端は右側縁部の後端に連続している。後縁部は左側縁部の後端に連続して左右方向に伸び切欠き部の縁部の左端に連続している。各側板は、前後方向の長さが右側縁部の長さよりも長く、左側縁部の長さと略同じである。各側板は前端が左右側縁部の前端と面一になるように、底板の左右側縁部の夫々に連結して立ち上がっている。前板は底板の前端及び一対の側板の前端に当接して連結されている。背板は、左側端面が左側板の内側面の後端部に当接し、右側端面が右側板の内側面の中間部に当接して、側板の後縁部と切欠き部の縁部に沿って立ち上がっている。前板、各側板及び背板の高さ寸法は同じである。
【０００３】
この引出しは、洗面化粧台に用いられた際、切欠き部に給水管、給湯管、及び排水管を挿通させることができる。このため、この引出しは給水管等との干渉を回避しつつ、収納スペースを大きくすることができる。
【先行技術文献】
【特許文献】
【０００４】
【特許文献１】特開２００２−３４６７９号公報
【発明の概要】
【発明が解決しようとする課題】
【０００５】
しかし、特許文献１の引出しは、底板に対して背板が倒れないように背板及び左右側板に固定しなければならず、背板の取り付けに手間を要する。
【０００６】
本発明は、上記従来の実情に鑑みてなされたものであって、底板の左右一方の後部を切り欠いた切欠き部の縁部に沿って立ち上がる背板を容易に取り付けることができる引出しを提供することを解決すべき課題としている。
【課題を解決するための手段】
【０００７】
本発明の引出しは、前後方向に平行に伸び、左右一方の後端が他方の後端よりも前側に位置した左右側縁部、この左右側縁部の夫々の前端に連続して左右方向に伸びる前縁部、前側に位置した一方の前記左右側縁部の後端に一端が連続し、左右一方の後部を切り欠いた切欠き部の縁部、及び他方の前記左右側縁部の後端に連続して左右方向に伸びて前記切欠き部の縁部の他端に連続する後縁部を有した平板状の底板と、
後端が前側に位置する一方の前記左右側縁部の長さよりも前後方向の長さが長く、前端が前記左右側縁部の前端と面一になるように、前記底板の左右側縁部の夫々に連結されて立ち上がっており、夫々の後端部に取付部が設けられた一対の側板と、
前記底板の前端及び一対の前記側板の前端に当接して連結された前板と、
前記底板の一方の前記左右側縁部に連結された一方の前記側板の前記取付部に取り付けられる被取付部、この被取付部から一方の前記側板に沿って前記底板の一方の後端よりも前方に伸びた延長部、及びこの延長部の前端部に設けられた連結部を有する第１連結具と、
前記底板の他方の前記左右側縁部に連結された他方の前記側板の前記取付部に取り付けられる被取付部、及びこの被取付部に連続して設けられた連結部を有する第２連結具と、
一方の端部が前記第１連結具の前記連結部に連結され、他方の端部が前記第２連結具の前記連結部に連結され、前記底板の後縁部と前記切欠き部の縁部に沿って立ち上がった背板と、
を備えていることを特徴とする。
【０００８】
この引出しは、一方の側板の後端部に設けられた取付部に第１連結具の被取付部を取付ける。一方の側板に取り付けられた第１連結具は、延長部が一方の側板に沿って底板の一方の後端よりも前側に伸びており、延長部の前端部に背板の一方の端部を連結する連結部が設けられている。この引出しは、第１連結具の連結部に背板の一方の端部を連結する。また、この引出しは他方の側板の後端部に設けられた取付部に第２連結具の被取付部を取付ける。この引出しは他方の側板に取り付けられた第２連結具の連結部に背板の他方の端部を連結する。このようにして、この引出しは、第１連結具及び第２連結具を利用して、底板の後縁部と左右一方の後部を切り欠いた切欠き部の縁部に沿って背板を立ち上がらせることができる。
【０００９】
したがって、本発明の引出しは、底板の左右一方の後部を切り欠いた切欠き部の縁部に沿って立ち上がる背板を容易に取り付けることができる。
【図面の簡単な説明】
【００１０】
【図１】実施例１の引出しを利用した洗面化粧台を示す正面図である。
【図２】実施例１の引出しを利用した洗面化粧台を示す側面図である。
【図３】実施例１の引出しを示す分解斜視図である。
【図４】実施例１の引出しを示す平面図である。
【図５】実施例１の引出しを示す斜め前方から見た斜視図である。
【図６】実施例１の引出しを示す斜め後方から見た斜視図である。
【図７】実施例１の第１連結具を示す斜視図である。
【図８】実施例１の第１連結具を示す斜視図である。
【図９】実施例１の第２連結具を示す斜視図である。
【発明を実施するための形態】
【００１１】
本発明における好ましい実施の形態を説明する。
【００１２】
本発明の引出しにおいて、一対の前記側板は対向する内側面が下方に向けて内側に傾斜しており、前記第１連結具の前記延長部は、前記底板に対して立ち上がった側面、前記側面の上端縁と前記側板の上面との間を塞ぐように広がる上面、及び前記側面の前端縁と前記側板の内側面との間を塞ぐように広がる前面を有し得る。この場合、この引出しは、第１連結具と一方の側板との間の隙間を第１連結具の延長部の上面と前面とによって塞ぐため、第１連結具と一方の側板との一体感が得られ、見た目を良くすることができる。また、第１連結具と一方の側板との間に引出しに収納した収納物が挟まることを防止することができる。
【００１３】
次に、本発明の引出しを具体化した実施例１について、図面を参照しつつ説明する。
【００１４】
＜実施例１＞
実施例１の引出しは、図１及び図２に示すように、洗面化粧台に利用される。洗面化粧台１は、ミラーキャビネット１０と、ミラーキャビネット１０の下方に配置される洗面台２０とを備えている。洗面化粧台１はミラーキャビネット１０の左右幅と洗面台２０の左右幅が同じである（なお、左右は図１における左右である。以下同じ。）。
【００１５】
ミラーキャビネット１０は、図１に示すように、左右方向で３分割された鏡１１と、各鏡１１の後方に設けられた収納部１２と、各鏡１１の上方に配置された照明器具１３とを有している。中央に位置する鏡１１Ｃは、正面視で縦長長方形状であり、左右に位置する鏡１１Ｌ，１１Ｒに比べて左右方向の幅が広い。中央に位置する鏡１１Ｃは、鉛直線方向に伸びる右側の一辺の後側を回転軸にして、収納部１２の前面を開閉自在に取り付けられている。左右に位置する鏡１１Ｌ，１１Ｒは、正面視で縦長長方形状であり、左右方向の幅が同じである。また、左右に位置する鏡１１Ｌ，１１Ｒは、鉛直方向に伸びる内側の一辺の後側を回転軸にして、収納部１２の前面を開閉自在に取り付けられている。照明器具１３はミラーキャビネット１０の左右幅全体に伸びて設けられている。
【００１６】
洗面台２０は、カウンター２１、カウンター２１に取り付けられた水栓２３、及びカウンター２１を載置するキャビネット２５を有している。カウンター２１は、洗面ボウル２１Ａ、カウンター部２１Ｂ、及びバックガード２１Ｃが一体的に形成されている。洗面ボウル２１Ａはカウンター２１の左右方向の中央に設けられている。洗面ボウル２１Ａの排水口は排水トラップを有する排水管２２が連結されている。カウンター部２１Ｂは洗面ボウル２１Ａの左右両側に設けられ、上方から見た平面視で奥行き方向の長い長方形状である。バックガード２１Ｃは、洗面ボウル２１Ａの後面の上端縁及びカウンター部２１Ｂの後端縁に連続し、カウンター部２１Ｂよりも上方に伸びている。バックガード２１Ｃは正面視で横長長方形状である。また、バックガード２１Ｃの前面は、平面であり、上方に向けてわずかに後方に傾いた傾斜面である。バックガード２１Ｃの左右方向の幅はミラーキャビネット１０の左右方向の幅と同じである。
【００１７】
水栓２３は、水栓本体２３Ａ、吐水管２３Ｂ、カバー２３Ｃ、及びハンドル２３Ｄを備えている。水栓本体２３Ａは、給水管２６Ａと給湯管２６Ｂが連結されている。水栓本体２３Ａは、給水管２６Ａから供給された水と、給湯管２６Ｂから供給された湯との混合比を調整したり、吐水量を調整したりすることができる。
【００１８】
吐水管２３Ｂは、円筒状であり、洗面化粧台１の左右方向の中央部で、カウンター２１のバックガード２１Ｃの前面の上端部に取り付けられている。吐水管２３Ｂは、カバー２３Ｃの下部から突出し、前方斜め下方を向いて伸びている。吐水管２３Ｂは先端に湯水を吐水する吐水口が形成されている。吐水管２３Ｂは水栓本体２３Ａに連結管２３Ｅによって連結されている。吐水管２３Ｂは水栓本体２３Ａ及び連結管２３Ｅを経由した湯水が吐水口から吐水する。
【００１９】
カバー２３Ｃは、横長形状であり、ミラーキャビネット１０の下端に連続して、バックガード２１Ｃの前面の上端部に左右方向に伸びるように取り付けられている。カバー２３Ｃは、左右方向の幅が、洗面化粧台１の左右方向の幅、つまり、ミラーキャビネット１０及びバックガード２１Ｃの左右方向の幅と同じである。このため、カバー２３Ｃは、バックガード２１Ｃの前面の上端部を左右方向の全体に亘って覆っている。カバー２３Ｃは、水栓本体２３Ａ、吐水管２３Ｂの根元部、及び洗面ボウル２１Ａの排水口に設けられた排水栓（図視せず）を開閉する操作摘み２７の取付部を前方及び下方から覆うようにバックガード２１Ｃの前面の上端部に取り付けられている。
【００２０】
ハンドル２３Ｄは、水栓本体２３Ａに連結され、把持部がカバー２３Ｃから下方に突出している。把持部を左右方向に振り子のように移動させると、吐水口から吐水される湯水の温度を調整することができる。つまり、この水栓２３は、吐水口から吐水される湯水の温度を低くする際は、ハンドル２３Ｄを右方向に移動させる。そして、この水栓２３は、湯が混合されずに水のみを吐水口から吐水させたい場合は、ハンドル２３Ｄを最も右側に移動させる。一方、この水栓２３は、吐水口から吐水される湯水の温度を高くする際は、ハンドル２３Ｄを左方向に移動させる。そして、この水栓２３は、水が混合されずに湯のみを吐水口から吐水させたい場合、ハンドル２３Ｄを最も左側に移動させる。
【００２１】
また、この水栓２３は、ハンドル２３Ｄの把持部を前後方向に移動させると、吐水口から吐水される湯水の吐水量を調整することができる。つまり、この水栓２３は、吐水口から吐水される湯水の吐水量を増加させる際は、ハンドル２３Ｄを手前方向に移動させる。一方、この水栓２３は、吐水口から吐水される湯水の吐水量を減少させる際は、ハンドル２３Ｄを奥方向に移動させる。ハンドル２３Ｄを最も奥へ移動させることによって、止水することができる（なお、前後は図２における左右である。以下同じ。）。
【００２２】
キャビネット２５は前方へ引き出せる上下２段の引出しが設けられている。これら引出しは同じ構造を有しており、後述する前板５０の上下方向の寸法が上側の引き出しよりも下側の引き出しが大きくなっている。これら引出しは、図３〜図６に示すように、底板３０、一対の側板４０Ｌ，４０Ｒ、前板５０、第１連結具６０、第２連結具７０、背板８０、及び一対の棒部材９０を備えている。
【００２３】
底板３０は、図３に示すように、左右側縁部３１Ｌ，３１Ｒ、前縁部３３、切欠き部３４の縁部３５、及び後縁部３７を有した平板状である。左右側縁部３１Ｌ，３１Ｒは前後方向に平行に伸びている。右側縁部３１Ｒの後端が左側縁部３１Ｌの後端よりも前側に位置している。前縁部３３は左右側縁部３１Ｌ，３１Ｒの夫々の前端に連続して左右方向に一直線上に伸びている。前縁部３３の左右方向の長さは左右側縁部３１Ｌ，３１Ｒの前後方向の長さよりも長い。左右側縁部３１Ｌ，３１Ｒと前縁部３３との間に形成される角部は直角である。
【００２４】
切欠き部３４は底板３０の右側の後部を略横長長方形状に切り欠いている。切欠き部３４の縁部３５は、右側縁部３１Ｒの後端に右端が連続して左右方向に一直線上に伸びた第１縁部３５Ａと、第１縁部３５Ａの左端に一端が連続し円弧状に湾曲した湾曲縁部３５Ｂと、湾曲縁部３５Ｂの他端に連続して前後方向に一直線上に伸びた第２縁部３５Ｃとを有している。第１縁部３５Ａは前縁部３３と平行である。第２縁部３５Ｃは左右側縁部３１Ｌ，３１Ｒと平行である。後縁部３７は、左側縁部３１Ｌの後端に連続して左右方向に一直線上に伸び、切欠き部３４の第２縁部３５Ｃの後端に連続している。後縁部３７は前縁部３３と平行である。底板３０は第１縁部３５Ａに沿って左右に離れた位置で２個のボス孔３６が形成されている。また、底板３０は後縁部３７に沿って左右に離れた位置に略等間隔で３個のボス孔３６が形成されている。
【００２５】
一対の側板４０Ｌ，４０Ｒは、図３〜図６に示すように、左右対象形状であり、金属製の板材を屈曲させて形成されている。各側板４０Ｌ，４０Ｒは前後方向の長さが左側縁部３１Ｌの長さと略同じである。つまり、各側板４０Ｌ，４０Ｒは前後方向の長さが右側縁部３１Ｒの長さよりも長い。各側板４０Ｌ，４０Ｒは外側面４１が略鉛直線方向に立ち上がっている。各側板４０Ｌ，４０Ｒは上面４２が上側に突出する円弧形状に形成されている。各側板４０Ｌ，４０Ｒは内側面４３の下端部に底板３０の左右側縁部３１Ｌ，３１Ｒを挟み込む溝部４４が内側に向けて開口している。各側板４０Ｌ，４０Ｒは、上面４２に内側から下方に伸びる内側面４３が下方に向けて内側に僅かに傾斜し、溝部４４の上方近傍において、大きく内側に傾斜している。つまり、各側板４０Ｌ，４０Ｒは、溝部４４の上方近傍の内側面４３Ｂが緩やかな傾斜面であり、それより上側の内側面４３Ａが急な傾斜面である。
【００２６】
各側板４０Ｌ，４０Ｒは後端部に取り付けられた樹脂製の取付部４５を有している。取付部４５は外側面が略鉛直線方向に立ち上げっている。取付部４５は外側面の裏側から２個のガイド突起と３個の係止爪が内方向に伸びている（図示せず）。各側板４０Ｌ，４０Ｒは、前端が底板３０の左右側縁部３１Ｌ，３１Ｒの前端（底板３０の前端面）と面一になるように、底板３０の左右側縁部３１Ｌ，３１Ｒを溝部４４に挟み込んで底板３０に連結されて立ち上っている。各側板４０Ｌ，４０Ｒは下端部にレール４６が一体に形成されている。引出しは、このレール４６によって開閉自在にキャビネット２５に取り付けられる。
【００２７】
前板５０は、図５及び図６に示すように、正面視において、横長長方形状である。前板５０は底板３０の前端及び一対の側板４０Ｌ，４０Ｒの前端に後面を当接して連結されている。前板５０はミラーキャビネット１０の左右幅及び洗面台２０の左右幅と同じ左右幅を有している。つまり、前板５０は底板３０の左右側縁部３１Ｌ，３１Ｒに取り付けられた一対の側板４０Ｌ，４０Ｒよりも左右外側まで伸びている。また、前板５０は、底板３０よりも下方まで伸びており、上下方向の寸法が各側板４０Ｌ，４０Ｒの高さの３倍〜４倍である。前板５０は前面に把手５１が取り付けられている。
【００２８】
第１連結具６０は、図７及び図８に示すように、被取付部６１、延長部６５、及び連結部６９を有している。第１連結具６０は金属板を折り曲げて形成されている。被取付部６１は、第１被取付板部６２、第２被取付板部６３、及び第３被取付板部６４から構成されている。第１被取付板部６２は、第１連結具６０を右側板４０Ｒに取り付けた状態で、上下方向に長く左右方向に広がった平板状である。第１被取付板部６２は、左右辺６２Ｌ，６２Ｒ、上下辺６２Ｕ，６２Ｄ、上下傾斜辺６２Ａ，６２Ｂ、及び中間辺６２Ｍを有している。第１連結具６０を右側板４０Ｒに取り付けた状態で、左右辺６２Ｌ，６２Ｒは上下方向に平行に伸びている。また、上辺６２Ｕは左辺６２Ｌの上端から右方向に伸びている。また、上傾斜辺６２Ａは上辺６２Ｕの右端から右斜め下方に傾斜して伸び、右辺６２Ｒの上端に連続している。また、下辺６２Ｄは、右辺６２Ｒの下端から左方向に伸び、上辺６２Ｕと平行である。中間辺６２Ｍは下辺６２Ｄの左端から下方に伸び、左右辺６２Ｌ，６２Ｒと平行である。下部傾斜辺は６２Ｂ中間辺６２Ｍの下端から左斜め下方に傾斜して伸び、左辺６２Ｌの下端に連続している。
【００２９】
第２被取付板部６３は、第１被取付板部６２の右辺６２Ｒで折り曲げられ、第１被取付板部６２と直交する長方形状である。第２被取付板部６３は、第１連結具６０を右側板４０Ｒに取り付けた状態で、第１被取付板部６２の右辺６２Ｒから後方に屈曲し、上下方向に長く前後方向に広がった平板状である。第２被取付板部６３は、下部に４個の貫通孔６３Ａ，６３Ｂ，６３Ｃ，６３Ｄが上下方向に並んで設けられている。角貫通孔６３Ａ，６３Ｂ，６３Ｃ，６３Ｄは横長長方形状である。一番上の貫通孔６３Ａと一番下の貫通孔６３Ｄは、右側板４０Ｒの取付部４５に第１連結具６０を取付ける際、右側板４０Ｒの取付部４５に設けられた２個のガイド突起の夫々が挿入される。また、上から２番目の貫通孔６３Ｂは、右側板４０Ｒの取付部４５に第１連結具６０を取付ける際、右側板４０Ｒの取付部４５に設けられた２個の係止爪が弾性変形しながら挿入され、係止される。上から３番目の貫通孔６３Ｃは、右側板４０Ｒの取付部４５に第１連結具６０を取付ける際、右側板４０Ｒの取付部４５に設けられた１個の係止爪が弾性変形しながら挿入され、係止される。このように、第１連結具６０は、第２被取付板部６３に設けられた２個の貫通孔６３Ａ，６３Ｄに右側板４０Ｒの取付部４５に設けられた２個のガイド突起を挿入させつつ、２個の貫通孔６３Ｂ，６３Ｃに右側板４０Ｒの取付部４５に設けられた３個の係止爪を挿入することによって、模擬側板４０Ｒの取付部４５に取り付けられる。
【００３０】
第３被取付板部６４は、第１被取付板部６２の上辺６２Ｕで折り曲げられ、第１被取付板部６２と直交する長方形状である。第３被取付板部６４は、第１連結具６０を右側板４０Ｒに取り付けた状態で、第１被取付板部６２の上辺６２Ｕから後方に屈曲し、左右方向に長く前後方向に広がった平板状である。第３被取付板部６４の前後方向の幅は第２被取付板部６３の前後方向の幅と同じである。第１被取付板部６２の上傾斜辺６２Ａと、第２被取付板部６３の上辺６３Ｕと、第３被取付板部６４の右辺６４Ｒとの間に嵌まり込むように後述する棒部材９０の後端を載置することができる。
【００３１】
延長部６５は、第１延長板部６６、第２延長板部６７、及び第３延長板部６８から構成されている。第１延長板部６６は、第１被取付板部６２の左辺６２Ｌの下部で折り曲げられ、第１被取付板部６２と直交する長方形状である。第１延長板部６６は、第１連結具６０を右側板４０Ｒに取り付けた状態で、第１被取付板部６２の左辺６２Ｌの下部から前方に屈曲し、前後方向に長く上下方向に広がった平板状である。第１延長板部６６は、第１連結具６０を右側板４０Ｒに取り付けた状態で、左側面６６Ａが底板３０に対して鉛直方向に立ち上がった側面を形成する（図５参照）。
【００３２】
第２延長板部６７は、第１延長板部６６の上辺６６Ｕで折り曲げられ、第１延長板部６６と直交する長方形状である。第２延長板部６７は、第１連結具６０を右側板４０Ｒに取り付けた状態で、第１延長板部６６の上辺６６Ｕから右方向に屈曲し、前後方向に長く左右方向に広がった平板状である。第２延長板部６７の左右幅は第１被取付板部６２の左右幅より短い。第２延長板部６７は、第１連結具６０を右側板４０Ｒに取り付けた状態で、第１延長板部６６の上辺６６Ｕ（左側面６６Ａの上端縁）に連続して右側板４０Ｒの上面に向けて伸び、第１延長板部６６の上辺６６Ｕ（左側面６６Ａの上端縁）と右側板４０Ｒとの間を塞ぐように広がる上面を形成する（図５参照）。つまり、第２延長板部６７は、第１連結具６０を右側板４０Ｒに取り付けた状態で、右辺６７Ｒが右側板４０Ｒの上面４２の内側に当接した状態又は僅かに隙間を有した状態に位置する。
【００３３】
第３延長板部６８は、第１延長板部６６の前辺６６Ｆで折り曲げられ、第１延長板部６６と直交する略四角形状である。第３延長板部６８は、第１連結具６０を右側板４０Ｒに取り付けた状態で、第１延長板部６６の前辺６６Ｆから右方向に屈曲し、上下方向に長く左右方向に広がった平板状である。第３延長板部６８は上辺６８Ｕが第２延長板部６７の左右幅と同じ長さを有している。また、第３延長板部６８は、第１連結具６０を右側板４０Ｒに取り付けた状態で、右辺６８Ｒが下方に向けて左方向に僅かに傾斜している。また、第３延長板部６８は、第１連結具６０を右側板４０Ｒに取り付けた状態で、右辺６８Ｒの下端に連続する下辺６８Ｄが、左方向に向けて下方に傾斜している。第３延長板部６８は、下辺６８Ｄの傾斜の方が右辺６８Ｒの傾斜に比べて緩やかである。第３延長板部６８は、第１連結具６０を右側板４０Ｒに取り付けた状態で、第１延長板部６６の前辺６６Ｆ（左側面６６Ａの前端縁）に連続して右側板４０Ｒの内側面に向けて伸び、第１延長板部６６の前辺６６Ｆ（左側面６６Ａの前端縁）と右側板４０Ｒの内側面との間を塞ぐように広がる前面を形成する（図５参照）。つまり、第３延長板部６８は、第１連結具６０を右側板に取り付けた状態で、右辺及び下辺が右側板４０Ｒの内側面４３に当接した状態又は僅かに隙間を有した状態に位置する。
【００３４】
連結部６９は、第１延長板部６６の前端部において、縦長長方形状の上下辺と一方の長辺（第１連結具６０を右側板４０Ｒに取り付けた状態で奥側に位置する長辺）に相当する部分に切り込みを入れ、他方の長辺（第１連結具６０を右側板４０Ｒに取り付けた状態で手前側に位置する長辺）に相当する部分で折り曲げられ、第１延長板部６６に直交する長方形状である。連結部６９は、第１連結具６０を右側板４０Ｒに取り付けた状態で、第１延長板部６６の前側から左方向に突出し、上下方向に長く左右方向に広がった平板状である。連結部６９は２個の貫通孔６９Ａが上下方向に並んで設けられている。連結部６９は、前面に背板８０の右端部の後面を当接させ、木螺子を２個の貫通孔６９Ａの夫々に挿入しつつ背板８０にねじ込むことによって、背板８０の右端部を連結する。
【００３５】
第２連結具７０は、図９に示すように、被取付部７１、及び連結部７7を有している。被取付部７１は、第１被取付板部７２、第２被取付板部７３、及び第３被取付板部７４から構成されている。第２被取付板部７３は、下部に４個の貫通孔７３Ａ，７３Ｂ，７３Ｃ，７３Ｄが上下方向に並んで設けられている。被取付部７１は第１連結具６０の左右対称形状である。
【００３６】
連結部７７は、第１連結板部７８、及び第２連結板部７９から構成されている。第１連結板部７８は、第１被取付板部７２の右辺７２Ｒで折り曲げられ、第１被取付板部７２と直交する長方形状である。第１連結板部７８は、第２連結具７０を左側板４０Ｌに取り付けた状態で、第１被取付板部７２の右辺７２Ｒから後方に屈曲し、上下方向に長く前後方向に広がった平板状である。第２連結板部７９は第１連結板部７８の後辺７８Ａで折り曲げられ、第１連結板部７８と直交する長方形状である。第２連結板部７９は、第２連結具７０を左側板４０Ｌに取り付けた状態で、第１連結板部７８の後辺７８Ａから右方向に屈曲し、上下方向に長く左右方向に広がった平板状である。第２連結板部７９は下部に２個の貫通孔７９Ａが上下方向に並んで設けられている。第２連結板部７９は、前面に背板８０の左端部の後面を当接させ、木螺子を２個の貫通孔７９Ａの夫々に挿入しつつ背板８０にねじ込むことによって、背板８０の左端部を連結する。
【００３７】
背板８０は、図３〜図６に示すように、第１背板８１、第２背板８３、及び第３背板８５から構成されている。第１背板８１、第２背板８３、及び第３背板８５の上下方向の寸法は同じである。第１背板８１及び第２背板８３は横方向に長い長方形状の平板状である。第３背板８５は上下方向が長い長方形状の平板状である。
【００３８】
第１背板８１は底板３０の切欠き部３４の第１縁部３５Ａに沿って底板３０の上面に載置される。第１背板８１は右端部が第１連結具６０の連結部６９に連結される。第１背板８１は左右離れた位置で下端面から下方に向けて２個のボス８２が突出している。これらボス８２は底板３０の切欠き部３４の第１縁部３５Ａに沿って形成されたボス孔３６に嵌め込まれる。第２背板８３は底板３０の後縁部３７に沿って底板３０の上面に載置される。第２背板８３は左端部が第２連結具７０の連結部７７に連結される。第２背板８３は左右離れた位置に等間隔で下端面から下方に向けて３個のボス８４が突出している。これらボス８４は底板３０の後縁部３７に沿って形成されたボス孔３６に嵌め込まれる。第３背板８５は第１背板８１の左端部の後面と第２背板８３の右端部の前面との間を連結している。第３背板８５は底板３０の切欠き部３４の第２縁部３５Ｃに沿って底板３０の上面に載置される。
【００３９】
一対の棒部材９０は、図４〜図６に示すように、外形が円柱状の棒本体９１と、棒本体９１の両端に嵌められたキャップ９３とから構成されている。各棒部材９０は、引出しの左右両端であって、前板５０の背面から第１連結具６０の被取付部６１の上端部及び第２連結具７０の被取付部７１の上端部との間に懸架される。
【００４０】
この引出しは、次に説明するように組み立てられる。
この引出しは、底板３０の左右側縁部３１Ｌ，３１Ｒを各側板４０Ｌ，４０Ｒの溝部４４に挿入して挟み込み下方から木螺子をねじ込んで底板３０と各側板４０Ｌ，４０Ｒを固定する。その後、この引出しは、底板３０の前端と一対の側板４０Ｌ，４０Ｒの前端に前板５０の後面を当接させて連結する。また、この引出しは、右側板４０Ｒの取付部４５に設けられた２個のガイド突起と３個の係止爪とを第１連結具６０の第２被取付板部６３に設けられた４個の貫通孔６３Ａ，６３Ｂ，６３Ｃ，６３Ｄに挿通して、第１連結具６０を右側板４０Ｒの取付部４５に取り付ける。同様に、この引出しは、左側板４０Ｌの取付部４５に設けられた２個のガイド突起と３個の係止爪とを第２連結具７０の第２被取付板部６３に設けられた４個の貫通孔７３Ａ，７３Ｂ，７３Ｃ，７３Ｄに挿通して、第２連結具７０を左側板４０Ｌの取付部４５に取り付ける。そして、この引出しは、第１背板８１及び第２背板８３の下端面から突出した５個のボス８２，８４を底板３０に設けられたボス孔３６に嵌め込みつつ底板３０の後縁部３７と切欠き部３４の縁部３５に沿って立ち上げる。この際、背板８０（第１背板８１）の右端部は第１連結具６０の連結部６９の前面に当接され、背板８０（第２背板８３）の左端部は第２連結具７０の連結部７７（第２連結板部７９）の前面に当接される。そして、この引出しは、木螺子を各連結部６９，７７の貫通孔６９Ａ，７９Ａの夫々に挿入しつつ背板８０にねじ込むことによって、背板８０を左右側板４０Ｌ，４０Ｒに連結する。そして、この引出しは、最後に、一対の棒部材９０を前板５０の背面から第１連結具６０の被取付部６１の上端部及び第２連結具７０の被取付部７１の上端部との間に懸架して、引出しを完成する。
【００４１】
この引出しは、底板３０の右側の後部を切り欠いた切欠き部３４を有し、背板８０が切欠き部３４の縁部３５に沿って立ち上がっているため、引出しをキャビネット２５に押し込んだ状態で引出しの右側の後部に上下方向に連通した空間が形成される。このため、このキャビネット２５は、この空間に給水管２６Ａ、給湯管２６Ｂ、及び排水管２２を挿通させることができる。このため、この引出しは給水管２６Ａ等との干渉を回避しつつ、収納スペースを大きくすることができる。
【００４２】
実施例１の引出しは、底板３０、一対の側板４０Ｌ，４０Ｒ、前板５０、第１連結具６０、第２連結具７０、及び背板８０を備えている。底板３０は、左右側縁部３１Ｌ，３１Ｒ、前縁部３３、右側後部を切り欠いた切欠き部３４の縁部３５、後縁部３７を有した平板状である。左右側縁部３１Ｌ，３１Ｒは前後方向に平行に伸び、右側縁部３１Ｒの後端が左側縁部３１Ｌの後端よりも前側に位置している。前縁部３３は左右側縁部３１Ｌ，３１Ｒの夫々の前端に連続して左右方向に伸びている。切欠き部３４の縁部３５は前側に位置した右側縁部３１Ｒの後端に右端が連続している。後縁部３７は左側縁部３１Ｌの後端に連続して左右方向に伸びて切欠き部３４の縁部３５の左端に連続している。一対の側板４０Ｌ，４０Ｒは、後端が前側に位置する右側縁部３１Ｒの長さよりも前後方向の長さが長い。また、一対の側板４０Ｌ，４０Ｒは、前端が左右側縁部３１Ｌ，３１Ｒの前端と面一になるように、底板３０の左右側縁部３１Ｌ，３１Ｒの夫々に連結されて立ち上がっている。また一対の側板４０Ｌ，４０Ｒは夫々の後端部に取付部４５が設けられている。前板５０は底板３０の前端及び一対の側板４０Ｌ，４０Ｒの前端に当接して連結されている。第１連結具６０は被取付部６１、延長部６５、及び連結部６９を有している。被取付部６１は底板３０の右側縁部３１Ｒに連結された右側板４０Ｒの取付部４５に取り付けられている。延長部６５は被取付部６１から右側板４０Ｒに沿って底板３０の一方の後端よりも前方に伸びている。連結部６９は延長部６５の前端部に設けられている。第２連結具７０は、被取付部７１、及び連結部７７を有している。被取付部７１は底板３０の左側縁部３１Ｌに連結された左側板４０Ｌの取付部４５に取り付けられる。連結部７７は被取付部７１に連続して設けられている。背板８０は右端部が第１連結具６０の連結部６９に連結され、左端部が第２連結具７０の連結部７７に連結され、底板３０の後縁部３７と切欠き部３４の縁部３５に沿って立ち上がっている。
【００４３】
この引出しは、右側板４０Ｒの後端部に設けられた取付部４５に第１連結具６０の被取付部６１を取付ける。右側板４０Ｒに取り付けられた第１連結具６０は、延長部６５が右側板４０Ｒに沿って底板３０の右後端よりも前側に伸びている。延長部６５は前端部に背板８０の右端部を連結する連結部６９が設けられている。この引出しは、第１連結具６０の連結部６９に背板８０の右端部を連結する。また、この引出しは左側板４０Ｌの後端部に設けられた取付部４５に第２連結具７０の被取付部７１を取付ける。この引出しは左側板４０Ｌに取り付けられた第２連結具７０の連結部７７に背板８０の左端部を連結する。このようにして、この引出しは、第１連結具６０及び第２連結具７０を利用して、底板３０の後縁部３７と右側後部を切り欠いた切欠き部３４の縁部３５に沿って背板８０を立ち上がらせることができる。
【００４４】
したがって、実施例１の引出しは、底板３０の右側後部を切り欠いた切欠き部３４の縁部３５に沿って立ち上がる背板８０を容易に取り付けることができる。
【００４５】
また、この引出しにおいて、一対の側板４０Ｌ，４０Ｒは対向する内側面４３が下方に向けて内側に傾斜している。第１連結具６０の延長部６５は、底板３０に対して立ち上がった側面６６Ａ、この側面６６Ａの上端縁と右側板４０Ｒの上面との間を塞ぐように広がる上面（第２延長板部６７）、及びこの側面６６Ａの前端縁と右側板４０Ｒの内側面４３との間を塞ぐように広がる前面（第３延長板部６８）を有している。このため、この引出しは、第１連結具６０と右側板４０Ｒとの間の隙間を第１連結具６０の延長部６５の上面（第２延長板部６７）と前面（第３延長板部６８）とによって塞ぐため、第１連結具６０と右側板４０Ｒとの一体感が得られ、見た目を良くすることができる。また、第１連結具６０と右側板４０Ｒとの間に引出しに収納した収納物が挟まることを防止することができる。
【００４６】
本発明は上記記述及び図面によって説明した実施例１に限定されるものではなく、例えば次のような実施例も本発明の技術的範囲に含まれる。
（１）実施例１では、底板の右側の後部に切欠き部３４を設けたが、底板の左側の後部に切欠き部３４を設けてもよい。この場合、第１連結具、及び第２連結具を左右対称の形態にして、第１連結具を左側板に取り付け、第２連結具を右側板に取り付ければよい。
（２）実施例１では、側板の内側面が下方に向けて内側に傾斜し、第１連結具の延長部が側面の上端縁と右側板の上面との間を塞ぐように広がる上面、及び側面の前端縁と右側板の内側面との間を塞ぐように広がる前面を有していたが、第１連結具の延長部が右側板との間を塞ぐような上面及び前面を有していなくてもよい。
（３）実施例１では、第１連結具は金属板を折り曲げて形成されたが、樹脂で同様な外形に形成してもよい。
（４）実施例１では、引出しが洗面化粧台に利用されたが、ミラーキャビネットを有さない洗面台や、水栓を有するキッチンキャビネット等に利用することができる。
【符号の説明】
【００４７】
３０…底板
３１Ｌ，３１Ｒ…左右側縁部（３１Ｌ…左側縁部、３１Ｒ…右側縁部）
３３…前縁部
３４…切欠き部
３５…（切欠き部の）縁部
３７…後縁部
４０Ｌ，４０Ｒ…側板（左側板…４０Ｌ、右側板４０Ｒ）
４３…内側面
４５…取付部
５０…前板
６０…第１連結具
６１…（第１連結具の）被取付部
６５…延長部
６５Ａ…（延長部の）側面、
６７…第２延長板部（延長部の上面）
６８…第３延長板部（延長部の前面）
６９…（第１連結具の）連結部
７０…第２連結具
７１…（第２連結具の）被取付部
７７…（第２連結具の）連結部
８０…背板
【図１】
0006639199.tif 000002
【図２】
0006639199.tif 000003
【図３】
0006639199.tif 000004
【図４】
0006639199.tif 000005
【図５】
0006639199.tif 000006
【図６】
0006639199.tif 000007
【図７】
0006639199.tif 000008
【図８】
0006639199.tif 000009
【図９】
0006639199.tif 000010